(57)【要約】【課題】環境の変化に対応してミストによる冷却が有効に行われるミスト装置を提供すること。【解決手段】ミスト装置１０は、噴霧圧力調節機構としてノズル２８に導かれるミストの噴霧圧力を調節するレギュレータ２５を備え、環境情報を取得する環境情報取得手段として風速計３１、風向計３２、温度計３３を備え、取得される環境情報に応じてレギュレータ２５の作動を制御するコントローラ３０を備える。【選択図】図１
2013195015.tif 000002
【特許請求の範囲】
【請求項１】
ノズルから水をミストとして噴霧するミスト装置であって、
前記ノズルに導かれるミストの噴霧圧力を調節する噴霧圧力調節機構と、
環境情報を取得する環境情報取得手段と、
前記環境情報取得手段によって取得される環境情報に応じて前記噴霧圧力調節機構の作動を制御するコントローラと、を備えることを特徴とするミスト装置。
【請求項２】
前記環境情報取得手段として風速を検知する風速計を備え、
前記コントローラは、前記風速計によって検知される風速に基づいてミストの噴霧圧力を調整することを特徴とする請求項１に記載のミスト装置。
【請求項３】
前記コントローラは、前記風速計によって検知される風速が所定値を越えて高まるのに応じてミストの噴霧を停止することを特徴とする請求項１または２に記載のミスト装置。
【請求項４】
前記ノズルは異なるエリアにそれぞれ配置され、
前記環境情報取得手段として風向を検知する風向計と、
前記異なるエリア毎に前記ノズルに対する加圧水の供給を止める開閉弁と、を備え、
前記コントローラは、前記風向計によって検知される風向に応じてミスト噴霧を行う前記エリアを選択して前記開閉弁の開閉作動を制御することを特徴とする請求項１から３のいずれか一つに記載のミスト装置。
【請求項５】
前記環境情報取得手段として気温を検知する温度計を備え、
前記コントローラは、前記温度計によって検知される気温が高まるのに応じてミストの噴霧圧力を高めることを特徴とする請求項１から４のいずれか一つに記載のミスト装置。
【請求項６】
前記ノズルは、加圧水供給通路を通じて供給される加圧水を外部にミストとして噴霧する一流体タイプのものであり、
前記噴霧圧力調節機構は、前記加圧水供給通路を通じて前記ノズルに供給される加圧水の流れに抵抗を付与するレギュレータであることを特徴とする請求項１から５のいずれか一つに記載のミスト装置。
【発明の詳細な説明】
【技術分野】
【０００１】
本発明は、屋外にて水をミストとして噴霧して、周囲の雰囲気温度を下げるミスト装置に関するものである。
【背景技術】
【０００２】
従来、集客施設や通路付近等にノズルを取り付け、このノズルから水をミストとして噴霧するミスト装置が知られている。ノズルから噴霧したミストが蒸発することにより、周囲の雰囲気温度を下げられる。
【０００３】
特許文献１で開示されたミスト装置は、気温、風速を検知し、気温が所定値より高く、風速が所定値より低い条件で、ミスト噴霧を行い、気温が低いときや風が強いときには、ミスト噴霧を停止するようになっている。
【先行技術文献】
【特許文献】
【０００４】
【特許文献１】特開２０１０−２３６７２４号公報
【発明の概要】
【発明が解決しようとする課題】
【０００５】
特許文献１で開示されたミスト装置は、気温、風速に応じてミスト噴霧を停止する制御が行われるが、気温、風速等の環境の変化に応じてミストの噴霧状態が変えられないため、環境の変化によってミストによる冷却が有効に行われないという問題点があった。
【０００６】
本発明は上記の問題点に鑑みてなされたものであり、環境の変化に対応してミストによる冷却が有効に行われるミスト装置を提供することを目的とする。
【課題を解決するための手段】
【０００７】
本発明は、ノズルから水をミストとして噴霧するミスト装置であって、ノズルに導かれるミストの噴霧圧力を調節する噴霧圧力調節機構と、環境情報を取得する環境情報取得手段と、環境情報に応じてミストの噴霧圧力を制御する噴霧圧力制御手段と、を備えることを特徴とする。
【発明の効果】
【０００８】
本発明では、気温、風速等の環境情報に応じてミストの噴霧圧力が制御されるため、環境の変化に対応してミストの粒径や勢い等の噴霧状態が変えられる。これにより、環境の変化に対応してミストによる冷却が有効に行われるミスト装置を提供することができる。
【図面の簡単な説明】
【０００９】
【図１】本発明の第１実施形態を示すミスト装置の構成図である。
【図２】本発明の第２実施形態を示すミスト装置の構成図である。
【図３】ノズルの構成図である。
【発明を実施するための形態】
【００１０】
以下、本発明の実施形態を添付図面に基づいて説明する。
【００１１】
（第１実施形態）
図１は、屋外に設置されるミスト装置１０の概略構成を示している。このミスト装置１０は、例えば集客施設や通路等において、人の上方に配置されるノズル２８を備える。ミスト装置１０のミスト噴霧時には、ノズル２８から水をミストとして噴霧し、噴霧したミストが蒸発することにより、周囲の雰囲気温度が下げられる。
【００１２】
ミスト装置１０は、ノズル２８に加圧水を供給する水圧源２０として、加圧水を吐出する水圧ポンプ２４と、加圧水の圧力を調節するレギュレータ２５とを備える。
【００１３】
水圧ポンプ２４とノズル２８とは、加圧水供給通路２７によって連結されている。加圧水供給通路２７は、水圧ポンプ２４の吐出口に開閉弁２６及びレギュレータ２５を介して接続される。
【００１４】
水圧ポンプ２４は、電動モータ（図示せず）によって作動し、図１に矢印Ａで示すように水道等の水源から供給される水を吸い込んで加圧し、矢印Ｂで示すように加圧水をその吐出口から加圧水供給通路２７に吐出する。水圧ポンプ２４を駆動する電動モータには、コントローラ３０から駆動電流が供給される。
【００１５】
なお、水圧源２０は、上述した構成に限らず、加圧水供給通路２７を水圧ポンプ２４を介さずに水道に接続する構成としてもよい。また、水圧源２０は、加圧水供給通路２７を例えば加圧水を貯留するタンク等に接続する構成としてもよい。
【００１６】
ミスト装置１０は、ノズル２８に導かれるミストの噴霧圧力を調節する噴霧圧力調節機構としてレギュレータ２５を備える。レギュレータ２５は、通過する加圧水の圧力をコントローラ３０から供給される駆動電流に応じて調節するものである。レギュレータ２５は、加圧水の流れに抵抗を与える減圧弁の機能を持ち、加圧水供給通路２７の水圧を設定値以下に調節する。レギュレータ２５は、コントローラ３０から供給される駆動電流に応じて加圧水供給通路２７の水圧を調節する設定値が変えられる。
【００１７】
開閉弁２６は、加圧水供給通路２７を開閉するものである。なお、加圧水供給通路２７に開閉弁２６及びレギュレータ２５を直列に介装する構成としているが、レギュレータ２５に開閉弁２６の機能を持たせてもよい。
【００１８】
加圧水供給通路２７は、ホースまたはパイプ等の配管（図示せず）によって構成される。この配管は、集客施設や通路に設けられる柱等に取り付けられる。
【００１９】
ノズル２８が配置される集客施設や通路は、風の流れ方向等の環境が異なる第一、第二エリア１１、１２に分けられる。ミスト装置１０は、第一、第二エリア１１、１２におけるミスト噴霧を環境情報に応じてそれぞれ行うようになっている。
【００２０】
加圧水供給通路２７は、第一エリア１１に延びる第一加圧水分岐通路（分岐通路）２７Ａと、第二エリア１２に延びる第二加圧水分岐通路（分岐通路）２７Ｂと、を備える。この第一、第二加圧水分岐通路２７Ａ、２７Ｂには、複数のノズル２８がそれぞれ接続される。
【００２１】
ミスト装置１０は、ノズル２８に対する加圧水の供給を止める開閉弁として、加圧水供給通路２７に対する第一、第二加圧水分岐通路２７Ａ、２７Ｂの分岐部に、第一、第二開閉弁２９Ａ、２９Ｂがそれぞれ介装される。第一、第二開閉弁２９Ａ、２９Ｂは、コントローラ３０から供給される駆動電流によって開閉作動する。コントローラ３０が第一、第二開閉弁２９Ａ、２９Ｂを開閉することにより、第一、第二エリア１１、１２を選択してミスト噴霧が行われる。第一開閉弁２９Ａを開くことにより、加圧水が図１に矢印Ｃで示すように第一加圧水分岐通路２７Ａに流入し、第一エリア１１のノズル２８からミスト噴霧が行われる。一方、第二開閉弁２９Ｂを開くことにより、加圧水が矢印Ｄで示すように第二加圧水分岐通路２７Ｂに流入し、第二エリア１２のノズル２８からミスト噴霧が行われる。
【００２２】
なお、ミスト装置１０は、ノズル２８に対する加圧水の供給を止める開閉弁をノズル２８毎に備え、コントローラ３０がこれらの開閉弁を開閉することにより、ノズル２８を個別に選択してミスト噴霧を行うようにしてもよい。
【００２３】
ノズル２８は、供給される加圧水を外部に噴霧する噴口（図示せず）を有する一流体タイプのものである。ノズル２８の噴口は、所定の開口径を持つ固定絞りであり、加圧水供給通路２７を通じて供給される加圧水が通過することにより、霧状の水となったミストを外部に噴霧する。加圧水供給通路２７に導かれる加圧水の圧力を高めることにより、ミストの粒子径を小さくするとともに、ミストが外部に噴霧される勢い（速度）を高められる。ミストの粒子径と勢いを適度に設定することにより、ノズル２８から噴霧したミストは、人や床面等を濡らさないように空中で蒸発し、周囲の雰囲気温度を下げる。
【００２４】
ミスト噴霧を停止するときには、コントローラ３０は、水圧ポンプ２４の作動を停止し、開閉弁２６を閉弁させて、ノズル２８に対する加圧水の供給を止める。一方、ミスト噴霧時には、コントローラ３０は、水圧ポンプ２４を作動し、開閉弁２６を開弁させて、ノズル２８に加圧水を供給する。その後、コントローラ３０は、レギュレータ２５の作動を制御して加圧水供給通路２７に導かれる加圧水の圧力（以下、単に「供給水圧」という）を調節し、ノズル２８に導かれるミストの噴霧圧力を調節する。
【００２５】
なお、水圧源２０は、レギュレータ２５を備えずに、水圧ポンプ２４の吐出圧力を調節することにより、ノズル２８に供給される加圧水の流量を制御するようにしてもよい。
【００２６】
ミスト装置１０は、環境情報を取得する環境情報取得手段として、風速計３１と風向計３２と温度計３３とを備える。コントローラ３０は、風速計３１と風向計３２と温度計３３の信号をそれぞれ受信し、環境情報に応じてミストの噴霧圧力を制御する噴霧圧力制御手段を構成する。
【００２７】
風速計３１は、風速（風の速さ）を測るものである。コントローラ３０は、風速計３１の信号を読み込み、風速が所定値以下の強風時でないことを判定すると、ミスト噴霧を行う。
【００２８】
上記ミスト噴霧時において、コントローラ３０は、風速が零の無風時に供給水圧を所定値に調節し、風速が高まるのに応じて供給水圧を次第に高めるようにレギュレータ２５の作動を制御する。
【００２９】
これにより、風速が零の無風時にミストの噴霧圧力、噴霧量がそれぞれ最低になるが、ミストが風に流されることがなく蒸発することによって、ノズル２８が向けられる領域の雰囲気温度を有効に下げられる。また、無風時にミストの噴霧圧力が抑えられることにより、ミストが直進して人や施設の床面を濡らすことを防止できる。
【００３０】
一方、風が吹いているときには、風速が高まるのに応じてミストの噴霧圧力が次第に高められることにより、ミストがノズル２８の噴霧方向に進む勢いが強まり、ミストが風に流されずに蒸発することが促される。そして、ミストの噴霧圧力が高まるのに伴ってミストの噴霧量が次第に増えることにより、ノズル２８が向けられる領域の冷却効果が維持される。
【００３１】
コントローラ３０は、風速が所定値を越えて高まる強風時を判定し、この強風時にミスト噴霧を停止するようにレギュレータ２５の作動を制御する。これにより、強風時にミスト噴霧が行われることがないため、ミストが強い風に流されて無駄になることが回避される。
【００３２】
風向計３２は、風向（風が吹く方向）を測るものである。コントローラ３０は、風向計３２の信号を読み込み、風向に応じてミスト噴霧を行うエリアを第一、第二エリア１１、１２から選択し、第一、第二開閉弁２９Ａ、２９Ｂの開閉作動を制御するミスト噴霧エリア選択手段を構成する。
【００３３】
例えば、コントローラ３０は、第一エリア１１において噴霧されるミストが風に流されて人のいない方向に運ばれる可能性がある風向であると判定した場合には、第一開閉弁２９Ａを閉弁させて第一エリア１１におけるミスト噴霧を停止する。これにより、ミストが無駄に噴霧されることが回避される。一方、コントローラ３０は、上記の風向の風が吹いていないことを判定すると、第一開閉弁２９Ａを開弁させて第一エリア１１におけるミスト噴霧を行う。これにより、第一エリア１１においてミストによる冷却が有効に行われる。同様に、第二エリア１２におけるミスト噴霧を停止する制御も、ミストが風によって運ばれる方向に応じて行われる。
【００３４】
温度計３３は、気温を測るものである。コントローラ３０は、温度計３３の信号を読み込み、気温が高まるのに応じて供給水圧を次第に高めるようにレギュレータ２５の作動を制御する。これにより、気温が高まるのに伴ってミストの噴霧量が次第に増えるため、気温に応じたミストによる冷却効果が得られる。また、気温が高まるのに伴ってミストがノズル２８の噴霧方向に進む勢いが強まるが、気温が高い状態ではミストが蒸発することが促され、ミストが直進して人や施設の床面を濡らすことを防止できる。
【００３５】
第１実施形態によれば、以下に示す作用効果を奏する。
【００３６】
〔１〕ミスト装置１０では、コントローラ３０によって風速、風向、気温等の環境情報に応じてミストの噴霧圧力が制御されるため、風速、風向、気温等の変化に応じてミストの粒径や勢いが適度に調節される。こうして、ミスト装置１０は、環境の変化に対応してミストによる冷却が有効に行われるシステムを構成できる。
【００３７】
〔２〕コントローラ３０は風速計３１によって検知される風速に基づいてミストの噴霧圧力を調整するため、風速が高まるのに伴ってミストがノズル２８の噴霧方向に進む勢いを強めることが可能となり、ミストが風に流されずに蒸発することが促される。そして、ミストの噴霧圧力が高まるのに伴ってミストの噴霧量が次第に増えることにより、ノズル２８が向けられる領域の冷却効果が維持される。
【００３８】
〔３〕コントローラ３０は風速計３１によって検知される風速が所定値を越えて高まる強風時にミスト噴霧を停止させるため、ミストが強い風に流されて無駄になることが回避される。
【００３９】
〔４〕コントローラ３０は風向計３２によって検知される風向に応じてミスト噴霧を行うエリア１１、１２を選択して開閉弁２９Ａ、２９Ｂの開閉作動を制御するため、各エリア１１、１２で噴霧されるミストが風に運ばれて無駄になることを止められる。
【００４０】
〔５〕コントローラ３０は温度計３３によって検知される気温が高まるのに応じてミストの噴霧圧力を高めるため、気温が高まるのに伴ってミストの噴霧量が次第に増え、気温に応じたミストによる冷却効果が得られる。
【００４１】
〔６〕ノズル２８が加圧水供給通路２７を通じて供給される加圧水を外部にミストとして噴霧する一流体タイプのものであり、噴霧圧力調節機構が加圧水供給通路２７を通じてノズル２８に供給される加圧水の流れに抵抗を付与するレギュレータ２５であるため、加圧水をノズル２８から霧状にして外部に噴霧するシステムが構成され、加圧水の圧力が調節されることにより、ミストの粒径や勢いを変えられ、環境に応じたミストの噴霧状態が得られる。
【００４２】
（第２実施形態）
次に図２、３に示す本発明の第２実施形態を説明する。図２は、屋外に設置されるミスト装置５０の概略構成を示している。図３は、ノズル４８の概略構成を示している。なお、第１実施形態と同一の構成には同一の符号を付す。
【００４３】
ノズル４８は、供給される加圧ガスと水を混合して、水を霧状にしたミストを外部に噴霧する二流体タイプのものである。
【００４４】
ミスト装置５０は、ノズル４８に水を供給する水源として、水供給通路５７に水道（図示せず）が接続され、水道水が図２に矢印Ｈで示すように水供給通路５７に供給される。水供給通路５７には、開閉弁５６及びレギュレータ５５が介装され、このレギュレータ５５によって所定圧力以下に調節される水が矢印Ｉで示すように供給される。
【００４５】
なお、水源は、これに限らず、水供給通路５７を水圧ポンプ等を介さずに水を貯留する貯水タンク等に接続してもよい。その場合には、後述するようにノズル４８の水噴出口５８（図３参照）に生じる負圧によって、貯水タンクの水が水供給通路５７を通じて水噴出口５８に吸い出される構成とする。
【００４６】
開閉弁５６は、加圧水供給通路５７を開閉するものである。なお、加圧水供給通路５７に開閉弁５６及びレギュレータ５５を直列に介装する構成としているが、レギュレータ５５に開閉弁５６の機能を持たせてもよい。
【００４７】
ミスト装置５０は、ノズル４８に加圧ガスを供給するガス供給源４０として、加圧ガスを吐出するコンプレッサ４１と、加圧ガスの圧力を調節するレギュレータ４２と、を備える。
【００４８】
コンプレッサ４１とノズル４８とは、加圧ガス供給通路４５によって連結されている。加圧ガス供給通路４５は、ガス供給源としてのコンプレッサ４１の吐出口に開閉弁４３及びレギュレータ４２を介して接続される。
【００４９】
コンプレッサ４１は、電動モータ（図示せず）によって作動し、図２に矢印Ｌで示すように外部から吸い込んだ空気を圧縮し、矢印Ｍで示すように加圧ガスを加圧ガス供給通路４５に吐出する。コンプレッサ４１の電動モータには、コントローラ６０から駆動電流が供給される。
【００５０】
なお、ガス供給源４０は、これに限らず、加圧ガス供給通路４５を加圧ガスが充填される蓄圧タンク等に接続してもよい。
【００５１】
レギュレータ４２は、通過する加圧ガスの圧力をコントローラ６０から供給される駆動電流に応じて調節するものである。レギュレータ４２は、加圧ガスの流れに抵抗を与える減圧弁の機能を持ち、加圧ガス供給通路４５の圧力を設定値以下に調節する。レギュレータ４２は、コントローラ６０から供給される駆動電流に応じて加圧ガス供給通路４５の圧力を調節する設定値が変えられる。
【００５２】
開閉弁４３は、加圧ガス供給通路４５を開閉するものである。なお、加圧ガス供給通路４５に開閉弁４３及びレギュレータ４２を直列に介装する構成としているが、レギュレータ４２に開閉弁４３の機能を持たせてもよい。
【００５３】
ミスト噴霧を停止するときには、コントローラ６０は、開閉弁５６と開閉弁４３をそれぞれ閉弁させて、ノズル４８に対する水と加圧ガスの供給を止める。一方、ミスト噴霧時には、コントローラ６０は、コンプレッサ４１を作動させ、開閉弁５６と開閉弁４３をそれぞれ開弁させて、ノズル４８に水と加圧ガスを供給する。このミスト噴霧時には、コントローラ６０は、レギュレータ４２の作動を制御して加圧ガス供給通路４５のガス圧力を調節し、ノズル４８に導かれるミストの噴霧圧力を調節する。
【００５４】
なお、ガス供給源４０は、レギュレータ４２を備えずに、コンプレッサ４１の吐出圧力を変えることにより、ノズル４８に供給される加圧ガスの圧力が調節されるようにしてもよい。
【００５５】
加圧ガス供給通路４５と水供給通路５７は、それぞれホースまたはパイプ等の配管（図示せず）によって構成される。これらの配管は、集客施設や通路付近の柱等に取り付けられる。
【００５６】
ノズル４８が配置される集客施設や通路は、風の流れ方向等の環境が異なる第一、第二エリア１１、１２に分けられる。ミスト装置５０は、第一、第二エリア１１、１２におけるミスト噴霧を環境情報に応じてそれぞれ行うようになっている。
【００５７】
水供給通路５７は、第一エリア１１に延びる第一水分岐通路（分岐通路）２７Ａと、第二エリア１２に延びる第二水分岐通路（分岐通路）５７Ｂと、を備える。この第一、第二水分岐通路５７Ａ、５７Ｂには、複数のノズル４８がそれぞれ接続される。
【００５８】
加圧ガス供給通路４５は、第一エリア１１に延びる第一加圧ガス岐通路（分岐通路）４５Ａと、第二エリア１２に延びる第二加圧ガス分岐通路（分岐通路）４５Ｂと、を備える。この第一、第二加圧ガス分岐通路４５Ａ、４５Ｂには、複数のノズル４８がそれぞれ接続される。
【００５９】
ミスト装置５０は、ノズル４８に供給される水を止める開閉弁として、水供給通路５７に対する第一、第二水分岐通路５７Ａ、５７Ｂの分岐部と、加圧ガス供給通路４５に対する第一、第二加圧ガス分岐通路４５Ａ、４５Ｂの分岐部とに、第一、第二開閉弁５９Ａ、５９Ｂがそれぞれ介装される。第一、第二開閉弁５９Ａ、５９Ｂは、コントローラ３０から供給される駆動電流によって開閉作動する。コントローラ３０が第一、第二開閉弁５９Ａ、５９Ｂを開閉することにより、第一、第二エリア１１、１２を選択してミスト噴霧が行われる。第一開閉弁５９Ａを開くことにより、水が図２に矢印Ｏで示すように第一水分岐通路５７Ａに流入するとともに、加圧ガスが矢印Ｎで示すように第一加圧ガス岐通路４５Ａに流入し、第一エリア１１のノズル４８からミスト噴霧が行われる。一方、第二開閉弁５９Ｂを開くことにより、水が矢印Ｋで示すように第二水分岐通路５７Ｂに流入するとともに、加圧ガスが矢印Ｊで示すように第二加圧ガス岐通路４５Ｂに流入し、第二エリア１２のノズル４８からミスト噴霧が行われる。
【００６０】
なお、ミスト装置５０は、ノズル４８に供給される水と加圧ガスを止める開閉弁を個別に設け、コントローラ３０がこの開閉弁を開閉することにより、ノズル４８を個別に選択してミスト噴霧が行われるようにしてもよい。
【００６１】
図３には、ノズル４８の概略構成が示されている。二流体タイプのノズル４８は、加圧ガス供給通路４５から供給される加圧ガスの流速を上げる絞り部４９と、水供給通路５７から供給される水を噴出する水噴出口５８と、を備える。水供給通路５７から供給される水が水噴出口５８から噴出し、この噴出する水とガスが混合されて、図２、３に矢印Ｐで示すように、水がミストとして噴霧される。
【００６２】
ノズル４８は、絞り部４９に供給されるガスを、水噴出口５８から噴出する水と混合して水をミストとして噴霧するため、水供給通路５７の水圧を高めることなく、粒子径の小さいミストをつくるとともに、ミストの勢いを高めることができる。これにより、ミストが風に流されにくくなるとともに、ミストの蒸発が促され、冷却効果を高められる。
【００６３】
ミスト装置５０は、環境情報を取得する環境情報取得手段として、風速計３１と風向計３２と温度計３３と、を備える。コントローラ３０は、風速計３１と風向計３２と温度計３３の信号をそれぞれ受信し、環境情報に応じてミストの噴霧圧力を制御する噴霧圧力制御手段を構成する。
【００６４】
コントローラ３０は、風速計３１の信号を読み込み、風速が零の無風時に加圧ガスの圧力を所定値に調節し、風速が高まるのに応じて加圧ガスの圧力を次第に高めるようにレギュレータ４２の作動を制御する。
【００６５】
これにより、風速が零の無風時にミストの噴霧圧力、噴霧量が最低になるが、ミストが風に流されることがなく蒸発することによって、ノズル４８が向けられる領域の雰囲気温度を有効に下げられる。また、無風時にミストの噴霧圧力が抑えられることにより、ミストが直進して人や施設の床面を濡らすことを防止できる。
【００６６】
一方、風が吹いているときには、風速が高まるのに応じてミストの噴霧圧力が次第に高められることにより、風速が高まるのに伴ってミストがノズル４８の噴霧方向に進む勢いが強まり、ミストが風に流されずに蒸発することが促される。そして、ミストの噴霧圧力が高まるのに伴ってミストの噴霧量が次第に増えることにより、ノズル４８が向けられる領域の冷却効果が維持される。
【００６７】
コントローラ３０は、風速が所定値を越えて高まる強風時を判定し、この強風時にミスト噴霧を停止するようにレギュレータ４２の作動を制御する。これにより、強風時にミスト噴霧が行われることがないため、ミストが強い風に流されて無駄になることが回避される。
【００６８】
コントローラ３０は、風向計３２の信号を読み込み、風向に応じてミスト噴霧を行うエリアを第一、第二エリア１１、１２から選択し、第一、第二開閉弁５９Ａ、５９Ｂの開閉作動を制御するミスト噴霧エリア選択手段を構成する。
【００６９】
例えば、コントローラ３０は、第一エリア１１において噴霧されるミストが風に流されて人のいない方向に運ばれる可能性があるとを判定した場合には、第一開閉弁５９Ａを閉弁させて第一エリア１１におけるミスト噴霧を停止する。これにより、ミストが無駄に噴霧されることが回避される。一方、コントローラ３０が上記の風向の風が吹いていないことを判定すると、第一開閉弁５９Ａを開弁させて第一エリア１１におけるミスト噴霧を行う。これにより、第一エリア１１においてミストによる冷却が有効に行われる。第二エリア１２におけるミスト噴霧を行う制御も、第一エリア１１と同様に、ミストが風によって運ばれる方向に応じて行われる。
【００７０】
コントローラ３０は、温度計３３の信号を読み込み、気温が高まるのに応じて加圧ガスの圧力を次第に高めるようにレギュレータ４２の作動を制御する。これにより、気温が高まるのに伴ってミストの噴霧量が次第に増えるため、気温に応じたミストによる冷却効果が得られる。また、気温が高まるのに伴ってミストがノズル４８の噴霧方向に進む勢いが強まるが、気温が高い状態ではミストが蒸発することが促され、ミストが直進して人や施設の床面を濡らすことを防止できる。
【００７１】
ミスト装置５０は、ガス供給源４０とノズル４８の絞り部３８とを連結する加圧ガス供給通路４５と、貯水室４４とノズル４８の水噴出口４６とを連結する水供給通路５７と、を備え、二流体タイプのノズル４８において加圧ガスと水を混合してミストを外部に噴霧するシステムである。二流体タイプのノズル４８を用いるミスト装置５０は、第１実施形態の一流体タイプのノズル２８を用いるミスト装置２９に比べて、蓄圧室３４の圧力を低くしても同等の粒子径の霧をつくるとともに、ミストの勢いを高めることができる。
【００７２】
第２実施形態によれば、第１実施形態と同様に前記〔１〕〜〔６〕の作用効果を奏するとともに、以下に示す作用効果を奏する。
【００７３】
ノズル４８が絞り部４９に供給される加圧ガスと水噴出口５８から噴出する水とを混合してミストを外部に噴霧する二流体タイプのものであり、噴霧圧力調節機構が加圧ガス供給通路４５を通じてノズル４８に導かれる加圧ガスの流れに抵抗を付与するレギュレータ４２であるため、粒子径の小さいミストをつくることによってミストの蒸発が促されるとともに、ミストの勢いを高めることによってミストが風に流されにくくなり、冷却効果を高められる。
【００７４】
本発明は上記の実施形態に限定されずに、その技術的な思想の範囲内において種々の変更がなしうることは明白である。
【産業上の利用可能性】
【００７５】
本発明のミスト装置は、例えば集客施設や通路、またはその他の場所に据え付けられる冷却設備として利用できとともに、任意の場所に移動可能な冷却装置としても利用できる。
【符号の説明】
【００７６】
１０、５０    ミスト装置
１１、１２    第一、第二エリア（エリア）
２５、４２    レギュレータ
２７    加圧水供給通路
２８、４８    ノズル
２９Ａ、２９Ｂ    第一、第二開閉弁（開閉弁）
３０、６０    コントローラ
３１    風速計 (環境情報取得手段)
３２    風向計 (環境情報取得手段)
３３    温度計(環境情報取得手段)
４５    加圧ガス供給通路
４９    絞り部
５７    水供給通路
５８    水噴出口
【図１】
2013195015.tif 000003
【図２】
2013195015.tif 000004
【図３】
2013195015.tif 000005